(57)【要約】【課題】  採光機能と採風機能を兼ね備え、且つ防犯性が高くまた優れた意匠性を有する窓を提供する。【解決手段】  左右に竪骨１１を備えた採風部１０と、竪骨側方の採光部１とを備え、採光部は、透光性のパネル２をはめ殺しにしてあり、採風部は、両竪骨の間に設けたガラリ１２と、ガラリの室内側に設けた平行突出し障子１３と、リンク機構１４と、ロック機構１５と、タイト材１６とを備え、竪骨は、竪骨室外側見込壁２１と、竪骨室内側見込壁２２と、両見込壁の間に形成した竪骨中間見付壁２３を有し、平行突出し障子は、左右に竪框１７を備え、竪框は、竪框室外側見込壁３１と、竪框室内側見込壁３２と、両見込壁の間に形成した竪框中間見付壁３３を有し、リンク機構は、竪骨室外側見込壁と竪框室外側見込壁とを連結しており、ロック機構は、竪框室内側見込壁と竪骨室内側見込壁とに設け、タイト材は、竪骨中間見付壁と竪框中間見付壁の間に配置してある。【選択図】      図１
2009293316.tif 000002
【特許請求の範囲】
【請求項１】
左右に竪骨を備えた採風部と、少なくとも一方の竪骨の側方に配置した採光部とを備え、採光部は、透光性のパネルをはめ殺しにしてあり、採風部は、両竪骨の間に設けたガラリと、ガラリの室内側に設けた平行突出し障子と、リンク機構と、ロック機構と、タイト材とを備え、竪骨は、竪骨室外側見込壁と、竪骨室内側見込壁と、両見込壁の間に形成した竪骨中間見付壁を有し、平行突出し障子は、左右に竪框を備え、竪框は、竪框室外側見込壁と、竪框室内側見込壁と、両見込壁の間に形成した竪框中間見付壁を有し、リンク機構は、竪骨室外側見込壁と竪框室外側見込壁とを連結しており、ロック機構は、竪框室内側見込壁に設けた把持部及び係止部と、竪骨室内側見込壁に設けた被係止部からなり、タイト材は、竪骨中間見付壁と竪框中間見付壁の間に配置してあることを特徴とする窓。
【発明の詳細な説明】
【技術分野】
【０００１】
本発明は、採光機能と採風機能を兼ね備える窓に関する。
【背景技術】
【０００２】
従来、特に都市部の住宅においては、防犯やプライバシー保護の観点から、安心して窓を開放したままにしておくことができなかった。通気が可能でありながら視線を遮断できるものとしてはガラリがあるが、ガラリのみでは閉鎖することができないので、通気の遮断ができず、また雨水が浸入する可能性があり問題であった。そこで、特許文献１に、ガラスとガラリ（格子扉）とを連設し、ガラリの室内側に開閉可能な横開きの障子（換気扉）を設けた窓が記載されている。この窓によれば、ガラス部分から採光が可能で、障子を開けば通気することができ、障子を閉じれば通気を遮断し雨水の浸入を防ぐことができる。また、特許文献２には、ガラリ（格子）の室内側にリンク機構を用いて平行突出し障子を設けた引戸が記載されている。
【特許文献１】特開２００６−３２８９１５号公報
【特許文献２】特開平１１−２００７２６号公報
【発明の開示】
【発明が解決しようとする課題】
【０００３】
しかしながら、文献１の窓においては、ガラリの内側に設けた障子が横開きであり、またガラリ自体も横開き可能であるから、開閉状態が外部から識別されやすく、防犯上問題があった。また、文献２のように、ガラリの室内側に平行突出し障子を設けただけの構成では、採風は可能であるが十分な採光量を確保することができなかった。さらに、文献１及び２記載の窓あるいは引戸の障子に施錠装置を取り付ける場合、室内側に飛び出した構造とならざるを得ず、外観が好ましくなかった。
【０００４】
本発明は、上記事情を鑑みたものであり、採光機能と採風機能を兼ね備え、且つ防犯性が高くまた優れた意匠性を有する窓を提供することを目的とする。
【課題を解決するための手段】
【０００５】
本発明は、左右に竪骨を備えた採風部と、少なくとも一方の竪骨の側方に配置した採光部とを備え、採光部は、透光性のパネルをはめ殺しにしてあり、採風部は、両竪骨の間に設けたガラリと、ガラリの室内側に設けた平行突出し障子と、リンク機構と、ロック機構と、タイト材とを備え、竪骨は、竪骨室外側見込壁と、竪骨室内側見込壁と、両見込壁の間に形成した竪骨中間見付壁を有し、平行突出し障子は、左右に竪框を備え、竪框は、竪框室外側見込壁と、竪框室内側見込壁と、両見込壁の間に形成した竪框中間見付壁を有し、リンク機構は、竪骨室外側見込壁と竪框室外側見込壁とを連結しており、ロック機構は、竪框室内側見込壁に設けた把持部及び係止部と、竪骨室内側見込壁に設けた被係止部からなり、タイト材は、竪骨中間見付壁と竪框中間見付壁の間に配置してあることを特徴とする。
【発明の効果】
【０００６】
本発明によれば、採光部がはめ殺しになっており、且つ採風部のガラリの室内側に開閉自在の平行突出し障子を設けたので、採光機能と採風機能を持たせ、且つ窓の開閉状態を外部に悟らせることがなく防犯性を高めることができる。また、ガラリから入る風を平行突出し障子が受け止め、室内に風が強く吹き込むのを防ぐことができる。さらに、平行突出し障子がガラリを覆い隠し、またガラリと平行突出し障子の双方に室外側見込壁及び室内側見込壁を形成してそれぞれにリンク機構及びロック機構を設けたのでリンク機構及びロック機構が目立たず、すっきりとした外観が得られる。また、リンク機構とロック機構を分離して設けたので、それぞれの構造を簡易にできる。さらに、平行突出し障子を閉鎖した際、当接部がタイト材によりシールされるので、水密性、気密性を確保できる。
【発明を実施するための最良の形態】
【０００７】
以下、本発明の実施の形態を図面に基づいて説明する。本発明の窓は、図１及び図５に示すように、四方枠組みした窓枠６０内に、採光部１及び採風部１０を連設したもので、採風部１０は左右に竪骨１１を備えており、左側（図１における左右方向を基準とする、以下同じ）の竪骨１１の側方に採光部１を設けてある。
採光部１は、透明なガラス製のパネル２をはめ殺しにしてある。一方、採風部１０は、左右の竪骨１１の間にガラリ１２を備える。ガラリ１２は、通気はできるが視線は通さない構造である。ガラリ１２の室内側には、平行突出し障子１３を設けてあり、採風部１０を閉鎖状態（図１（ａ））あるいは開放状態（図１（ｂ））にすることができる。平行突出し障子１３は左右に竪框１７を備えており、竪骨１１と竪框１７を後述のリンク機構１４が連結しており、さらにロック機構１５が設けてある。
両竪骨１１は、互いに向き合う側に竪骨室外側見込壁２１及び竪骨室内側見込壁２２を有する。竪骨室内側見込壁２２は、竪骨室外側見込壁２１よりも窓の周縁側（窓枠６０側）に位置し、両見込壁２１，２２の間に、室内側を向いた竪骨中間見付壁２３が形成してある。
両竪框１７は、平行突出し障子１３の周縁側を向いた竪框室外側見込壁３１及び竪框室内側見込壁３２を有する。竪框室内側見込壁３２は、竪框室外側見込壁３１よりも周縁側に位置し、両見込壁３１，３２の間に、室外側を向いた竪框中間見付壁３３が形成してある。
また、両竪骨１１の竪骨中間見付壁２３には、樹脂製のタイト材１６が上下にわたって設けてあり、さらにこのタイト材１６は、図２に示すように、採風部１０の上下において左右方向に伸び、開口部の周縁を囲んでいる。平行突出し障子１３を閉鎖した際には、タイト材１６が平行突出し障子１３に密着し（竪骨中間見付壁２３に配置したタイト材１６は、竪框１７の竪框中間見付壁３３に密着する）、当接部をシールして水密性・気密性を確保する。
このように、採光部がはめ殺しになっており、且つ採風部のガラリの室内側に開閉自在の平行突出し障子を設けたので、採光機能と採風機能を兼ね備え、且つ窓の開閉状態を外部に悟らせることがなく防犯性が高い。また、ガラリから入る風を平行突出し障子が受け止め、室内に風が強く吹き込むのを防ぐことができる。さらに、平行突出し障子がガラリを覆い隠し、室内側においてすっきりとした外観が得られる。
【０００８】
次に、リンク機構１４について説明する。リンク機構１４は、図１に示すように採風部１０の左右両側に設けるもので（図１ではリンク機構１４の一部を省略して表示している）、図３に示すように、一組の節部４１ａ、４１ｂと、竪骨室外側見込壁２１に上下動可能に設けたスライド片４２及び固定した竪骨側固定片４３と、竪框室外側見込壁３１に固定した竪框側固定片４４からなる。節部４１ａ、４１ｂ同士は互いに中心部で回動可能に連結されており、一方の節部４１ａの一端は竪骨側固定片４３と回動可能に連結し、他端は竪框側固定片４４と上下動可能に連結する。他方の節部４１ｂの一端はスライド片４２と回動可能に連結し、他端は竪框側固定片４４と回動可能に連結する。このように構成することで、平行突出し障子を、ガラリと平行を保ったまま水平方向に移動させることができる。そして、室内側から見た場合、リンク機構が平行突出し障子に隠れて目立たず、意匠性が高い。
【０００９】
次に、ロック機構１５について説明する。ロック機構１５は、図１に示すように採風部１０の左右両側に設けるもので、図４に示すように、竪框室内側見込壁３２に上下動可能に設けた連動部材５４と、連動部材５４に設けた把持部５１及び複数個の係止部５２と、竪骨室内側見込壁２２に設けた被係止部５３からなり、把持部５１に手を掛けて上下に動かすことで、連動部材５４と係止部５２が一体となって上下動するものである。係止部５２はＪ字形状で、各係止部５２に対応する位置に円柱形状の被係止部５３が設けてあるので、平行突出し障子を閉鎖して把持部５１を上向きに操作することで、施錠することができる。開錠するときは、逆に把持部５１を下向きに操作すればよい。平行突出し障子は室外側から開閉することができないので元より防犯性が高いが、このようにロック機構を備えることでさらに防犯性を高めることができる。そして、このロック機構は、施錠の機能と持ち手としての機能を併せ持ちながら、平行突出し障子より室内側に突出することがなく、意匠性も高い。
【００１０】
本発明は、上記の実施形態に限定されない。例えば、採光部と採風部の何れか又は両方を複数備えていてもよく、それらは窓枠内に自由に配置できる。また、リンク機構は、平行突出し障子を水平に移動できるものであれば異なる構成であってもよいし、ロック機構は、平行突出し障子を閉鎖状態で施錠できるものであればどのような構造であってもよい。さらに、採光部にカーテンやブラインド等の遮光手段を設けてもよい。
【図面の簡単な説明】
【００１１】
【図１】図５のＡ−Ａ線断面図であり、（ａ）は閉鎖時、（ｂ）は開放時を示す。
【図２】図５のＢ−Ｂ線断面図である。
【図３】リンク機構の説明図であり、（ａ）は閉鎖時、（ｂ）は開放時を示す。
【図４】ロック機構の説明図であり、（ａ）は閉鎖時、（ｂ）は開放時を示す。
【図５】本発明の窓の正面図であり、（ａ）は室外側、（ｂ）は室内側を示す。
【符号の説明】
【００１２】
１  採光部
２  パネル
１０  採風部
１１  竪骨
１２  ガラリ
１３  平行突出し障子
１４  リンク機構
１５  ロック機構
１６  タイト材
１７  竪框
２１  竪骨室外側見込壁
２２  竪骨室内側見込壁
２３  竪骨中間見付壁
３１  竪框室外側見込壁
３２  竪框室内側見込壁
３３  竪框中間見付壁
５１  把持部
５２  係止部
５３  被係止部
【図１】
2009293316.tif 000003
【図２】
2009293316.tif 000004
【図３】
2009293316.tif 000005
【図４】
2009293316.tif 000006
【図５】
2009293316.tif 000007